(57)【要約】【課題】移動通信端末の試験の効率化を図ることができる移動通信端末試験装置及び移動通信端末試験方法を提供すること。【解決手段】移動通信端末試験装置１は、フレームに含まれるアップリンク（ＵＬ）区間の構成を示すフレーム構成情報を記憶するＵＬ／ＤＬ構成情報記憶部２１と、フレーム構成情報に基づいてフレームに含まれるＵＬ区間のデータを選別して出力する選別部１６と、選別部１６が出力したＵＬ区間のデータを記憶する受信波形データ記憶部３１と、受信波形データ記憶部３１が記憶したＵＬ区間のデータを解析する解析部１７と、を備える。【選択図】図３
2014123832.tif 000002
【特許請求の範囲】
【請求項１】
時分割複信方式に基づいて移動通信端末（６）と通信する基地局を擬似する擬似基地局（５）を備え、前記擬似基地局から前記移動通信端末に向かう方向の情報を含むダウンリンク区間と、前記移動通信端末から前記擬似基地局に向かう方向の情報を含むアップリンク区間と、を有するフレームにより通信して前記移動通信端末を試験する移動通信端末試験装置（１）であって、
前記移動通信端末は、前記擬似基地局に同期して通信するものであり、
前記フレーム内において前記アップリンク区間の配置された情報を示すフレーム構成情報を記憶するフレーム構成情報記憶手段（２１）と、
前記フレーム構成情報に基づいて前記フレームに含まれる前記アップリンク区間のデータを選別して出力する選別手段（１６）と、
前記選別手段が出力した前記アップリンク区間のデータを記憶するデータ記憶手段（３１）と、
前記データ記憶手段が記憶した前記アップリンク区間のデータを解析するデータ解析手段（１７）と、
を備えたことを特徴とする移動通信端末試験装置。
【請求項２】
前記選別手段（５０）は、前記フレーム構成情報に加えて、前記フレーム内における前記アップリンク区間の時間的位置の情報に基づいて前記アップリンク区間のデータを選別して出力するものであることを特徴とする請求項１に記載の移動通信端末試験装置（２）。
【請求項３】
時分割複信方式に基づいて移動通信端末（７）と通信する基地局を擬似する擬似基地局（５）を備え、前記擬似基地局から前記移動通信端末に向かう方向の情報を含むダウンリンク区間と、前記移動通信端末から前記擬似基地局に向かう方向の情報を含むアップリンク区間と、を有するフレームにより通信して前記移動通信端末を試験する移動通信端末試験装置（３）であって、
前記移動通信端末は、任意の送信タイミングで送信信号を前記擬似基地局に出力するものであり、
前記フレーム内において前記アップリンク区間の配置された情報を示すフレーム構成情報を記憶するフレーム構成情報記憶手段（２１）と、
前記アップリンク区間に含まれる個別の識別情報及び前記フレーム構成情報に基づいて前記フレームに含まれる前記アップリンク区間のデータを選別して出力する選別手段（６２）と、
前記選別手段が出力した前記アップリンク区間のデータを記憶するデータ記憶手段（３１）と、
前記データ記憶手段が記憶した前記アップリンク区間のデータを解析するデータ解析手段（１７）と、
を備えたことを特徴とする移動通信端末試験装置。
【請求項４】
時分割複信方式に基づいて移動通信端末（７）と通信する基地局を擬似する擬似基地局（５）を備え、前記擬似基地局から前記移動通信端末に向かう方向の情報を含むダウンリンク区間と、前記移動通信端末から前記擬似基地局に向かう方向の情報を含むアップリンク区間と、を有するフレームにより通信して前記移動通信端末を試験する移動通信端末試験装置（４）であって、
前記移動通信端末は、任意の送信タイミングで送信信号を前記擬似基地局に出力するものであり、
前記アップリンク区間に含まれる個別の識別情報に基づいて前記フレーム内において前記アップリンク区間の配置された情報を示すフレーム構成情報を取得するフレーム構成情報取得手段（８１ｂ）と、
前記フレーム構成情報に基づいて前記フレームに含まれる前記アップリンク区間のデータを選別して出力する選別手段（８３）と、
前記選別手段が出力した前記アップリンク区間のデータを記憶するデータ記憶手段（３１）と、
前記データ記憶手段が記憶した前記アップリンク区間のデータを解析するデータ解析手段（１７）と、
を備えたことを特徴とする移動通信端末試験装置。
【請求項５】
前記アップリンク区間のデータが前記データ記憶手段に記憶される際の前記データ記憶手段内の区分を識別するための区分情報を前記フレーム構成情報に基づいて生成する区分情報生成手段（２３、８２）をさらに備え、
前記データ解析手段は、前記区分情報を参照し、前記データ記憶手段から前記アップリンク区間のデータを読み出して解析するものであることを特徴とする請求項１から請求項４のいずれか１項に記載の移動通信端末試験装置。
【請求項６】
時分割複信方式に基づいて移動通信端末（６）と通信する基地局を擬似する擬似基地局（５）を備え、前記擬似基地局から前記移動通信端末に向かう方向の情報を含むダウンリンク区間と、前記移動通信端末から前記擬似基地局に向かう方向の情報を含むアップリンク区間と、を有するフレームにより通信して前記移動通信端末を試験する移動通信端末試験装置（１）を用いた移動通信端末試験方法であって、
前記移動通信端末は、前記擬似基地局と互いに同期して通信するものであり、
前記フレーム内において前記アップリンク区間の配置された情報を示すフレーム構成情報に基づいて前記フレームに含まれる前記アップリンク区間のデータを選別する選別ステップ（Ｓ２１、Ｓ２３）と、
前記選別ステップにおいて選別した前記アップリンク区間のデータを記憶するデータ記憶ステップ（Ｓ２２）と、
前記データ記憶ステップにおいて記憶した前記アップリンク区間のデータを解析するデータ解析ステップ（Ｓ１６）と、
を含むことを特徴とする移動通信端末試験方法。
【発明の詳細な説明】
【技術分野】
【０００１】
本発明は、例えば、携帯電話やモバイル端末等の移動通信端末を試験する移動通信端末試験装置及び移動通信端末試験方法に関する。
【背景技術】
【０００２】
移動通信システムの通信規格として、時分割複信（ＴＤＤ：Time Division Duplex）方式が知られている。この時分割複信方式には、ＴＤ−ＬＴＥ（Time Division Duplex Long Term Evolution）規格やＴＤ−ＳＣＤＭＡ（Time Division Synchronous Code Division Multiple Access ）規格等がある。
【０００３】
従来、この種の通信規格に対応した移動通信端末の開発や製造検査の際に、移動通信端末の送受信特性を検査するための試験装置が提案されている（例えば、特許文献１参照）。
【０００４】
特許文献１記載のものは、移動通信端末から解析対象であるＴＤ−ＳＣＤＭＡ信号を受信して、その信号波形の波形データを記憶するメモリと、各波形データからスロットごとの電力を検出する解析部と、検出したスロットごとの電力を時系列に並べて表示器にグラフ表示する表示制御手段と、を備えている。
【０００５】
この構成により、特許文献１記載のものは、所望する特定のスロットの電力の推移を、測定者が容易に把握することができるようになっている。
【先行技術文献】
【特許文献】
【０００６】
【特許文献１】特開２００８−３０６５０５号公報
【発明の概要】
【発明が解決しようとする課題】
【０００７】
ところで、近時、移動通信端末からの受信信号の波形をできるだけ長時間に亘って記憶し一括して解析を行うことにより、試験の効率化を図ることが望まれている。
【０００８】
しかしながら、従来のものでは、受信信号の波形の記憶容量には限界があるので、ＴＤ−ＳＣＤＭＡ信号を受信し、その波形データを記憶し、スロットごとの電力を検出するという手順を何度も繰り返す構成となっていた。そのため、従来のものは、移動通信端末の試験の効率化が図れないという課題があった。
【０００９】
本発明は、従来の課題を解決するためになされたものであり、移動通信端末の試験の効率化を図ることができる移動通信端末試験装置及び移動通信端末試験方法を提供することを目的とする。
【課題を解決するための手段】
【００１０】
本発明の請求項１に係る移動通信端末試験装置は、時分割複信方式に基づいて移動通信端末（６）と通信する基地局を擬似する擬似基地局（５）を備え、前記擬似基地局から前記移動通信端末に向かう方向の情報を含むダウンリンク区間と、前記移動通信端末から前記擬似基地局に向かう方向の情報を含むアップリンク区間と、を有するフレームにより通信して前記移動通信端末を試験する移動通信端末試験装置（１）であって、前記移動通信端末は、前記擬似基地局に同期して通信するものであり、前記フレーム内において前記アップリンク区間の配置された情報を示すフレーム構成情報を記憶するフレーム構成情報記憶手段（２１）と、前記フレーム構成情報に基づいて前記フレームに含まれる前記アップリンク区間のデータを選別して出力する選別手段（１６）と、前記選別手段が出力した前記アップリンク区間のデータを記憶するデータ記憶手段（３１）と、前記データ記憶手段が記憶した前記アップリンク区間のデータを解析するデータ解析手段（１７）と、を備えた構成を有している。
【００１１】
この構成により、本発明の請求項１に係る移動通信端末試験装置は、擬似基地局と移動通信端末との間の通信が同期した同期モードにおいて、データ記憶手段が、フレームに含まれるデータのうち、アップリンク区間のデータのみを記憶するので、ダウンリンク区間及びアップリンク区間のデータを記憶する従来のものよりも記憶するデータ量を大幅に削減することができる。
【００１２】
したがって、本発明の請求項１に係る移動通信端末試験装置は、同期モードにおいて、移動通信端末からの受信信号の波形を従来よりも長時間に亘って記憶し一括して解析を行うことが可能となるので、移動通信端末の試験の効率化を図ることができる。
【００１３】
本発明の請求項２に係る移動通信端末試験装置は、前記選別手段（５０）は、前記フレーム構成情報に加えて、前記フレーム内における前記アップリンク区間の時間的位置の情報に基づいて前記アップリンク区間のデータを選別して出力するものである構成を有している。
【００１４】
この構成により、本発明の請求項２に係る移動通信端末試験装置は、フレームに含まれるアップリンク区間のデータを効率よく確実に選別することができる。
【００１５】
本発明の請求項３に係る移動通信端末試験装置は、時分割複信方式に基づいて移動通信端末（７）と通信する基地局を擬似する擬似基地局（５）を備え、前記擬似基地局から前記移動通信端末に向かう方向の情報を含むダウンリンク区間と、前記移動通信端末から前記擬似基地局に向かう方向の情報を含むアップリンク区間と、を有するフレームにより通信して前記移動通信端末を試験する移動通信端末試験装置（３）であって、前記移動通信端末は、任意の送信タイミングで送信信号を前記擬似基地局に出力するものであり、前記フレーム内において前記アップリンク区間の配置された情報を示すフレーム構成情報を記憶するフレーム構成情報記憶手段（２１）と、前記アップリンク区間に含まれる個別の識別情報及び前記フレーム構成情報に基づいて前記フレームに含まれる前記アップリンク区間のデータを選別して出力する選別手段（６２）と、前記選別手段が出力した前記アップリンク区間のデータを記憶するデータ記憶手段（３１）と、前記データ記憶手段が記憶した前記アップリンク区間のデータを解析するデータ解析手段（１７）と、を備えた構成を有している。
【００１６】
この構成により、本発明の請求項３に係る移動通信端末試験装置は、擬似基地局と移動通信端末との間の通信が同期しない非同期モードにおいて、データ記憶手段が、フレームに含まれるデータのうち、アップリンク区間のデータのみを記憶するので、ダウンリンク区間及びアップリンク区間のデータを記憶する従来のものよりも記憶するデータ量を大幅に削減することができる。
【００１７】
したがって、本発明の請求項３に係る移動通信端末試験装置は、非同期モードにおいて、移動通信端末からの受信信号の波形を従来よりも長時間に亘って記憶し一括して解析を行うことが可能となるので、移動通信端末の試験の効率化を図ることができる。
【００１８】
本発明の請求項４に係る移動通信端末試験装置は、時分割複信方式に基づいて移動通信端末（７）と通信する基地局を擬似する擬似基地局（５）を備え、前記擬似基地局から前記移動通信端末に向かう方向の情報を含むダウンリンク区間と、前記移動通信端末から前記擬似基地局に向かう方向の情報を含むアップリンク区間と、を有するフレームにより通信して前記移動通信端末を試験する移動通信端末試験装置（４）であって、前記移動通信端末は、任意の送信タイミングで送信信号を前記擬似基地局に出力するものであり、前記アップリンク区間に含まれる個別の識別情報に基づいて前記フレーム内において前記アップリンク区間の配置された情報を示すフレーム構成情報を取得するフレーム構成情報取得手段（８１ｂ）と、前記フレーム構成情報に基づいて前記フレームに含まれる前記アップリンク区間のデータを選別して出力する選別手段（８３）と、前記選別手段が出力した前記アップリンク区間のデータを記憶するデータ記憶手段（３１）と、前記データ記憶手段が記憶した前記アップリンク区間のデータを解析するデータ解析手段（１７）と、を備えた構成を有している。
【００１９】
この構成により、本発明の請求項４に係る移動通信端末試験装置は、擬似基地局と移動通信端末との間の通信が同期しない非同期モードにおいて、データ記憶手段が、フレームに含まれるデータのうち、アップリンク区間のデータのみを記憶するので、ダウンリンク区間及びアップリンク区間のデータを記憶する従来のものよりも記憶するデータ量を大幅に削減することができる。
【００２０】
したがって、本発明の請求項４に係る移動通信端末試験装置は、非同期モードにおいて、移動通信端末からの受信信号の波形を従来よりも長時間に亘って記憶し一括して解析を行うことが可能となるので、移動通信端末の試験の効率化を図ることができる。
【００２１】
本発明の請求項５に係る移動通信端末試験装置は、前記アップリンク区間のデータが前記データ記憶手段に記憶される際の前記データ記憶手段内の区分を識別するための区分情報を前記フレーム構成情報に基づいて生成する区分情報生成手段（２３、８２）をさらに備え、前記データ解析手段は、前記区分情報を参照し、前記データ記憶手段から前記アップリンク区間のデータを読み出して解析するものである構成を有している。
【００２２】
この構成により、本発明の請求項５に係る移動通信端末試験装置は、データ解析手段が、データ記憶手段に連なって記憶されたアップリンク区間のデータを効率よく確実に読み出して解析することができる。
【００２３】
本発明の請求項６に係る移動通信端末試験方法は、時分割複信方式に基づいて移動通信端末（６）と通信する基地局を擬似する擬似基地局（５）を備え、前記擬似基地局から前記移動通信端末に向かう方向の情報を含むダウンリンク区間と、前記移動通信端末から前記擬似基地局に向かう方向の情報を含むアップリンク区間と、を有するフレームにより通信して前記移動通信端末を試験する移動通信端末試験装置（１）を用いた移動通信端末試験方法であって、前記移動通信端末は、前記擬似基地局と互いに同期して通信するものであり、前記フレーム内において前記アップリンク区間の配置された情報を示すフレーム構成情報に基づいて前記フレームに含まれる前記アップリンク区間のデータを選別する選別ステップ（Ｓ２１、Ｓ２３）と、前記選別ステップにおいて選別した前記アップリンク区間のデータを記憶するデータ記憶ステップ（Ｓ２２）と、前記データ記憶ステップにおいて記憶した前記アップリンク区間のデータを解析するデータ解析ステップ（Ｓ１６）と、を含む構成を有している。
【００２４】
この構成により、本発明の請求項６に係る移動通信端末試験方法は、擬似基地局と移動通信端末との間の通信が同期した同期モードにおいて、データ記憶手段が、フレームに含まれるデータのうち、アップリンク区間のデータのみを記憶するので、ダウンリンク区間及びアップリンク区間のデータを記憶する従来のものよりも記憶するデータ量を大幅に削減することができる。
【００２５】
したがって、本発明の請求項６に係る移動通信端末試験方法は、同期モードにおいて、移動通信端末からの受信信号の波形を従来よりも長時間に亘って記憶し一括して解析を行うことが可能となるので、移動通信端末の試験の効率化を図ることができる。
【発明の効果】
【００２６】
本発明は、移動通信端末の試験の効率化を図ることができるという効果を有する移動通信端末試験装置及び移動通信端末試験方法を提供することができるものである。
【図面の簡単な説明】
【００２７】
【図１】ＴＤ−ＬＴＥ規格におけるフレーム構成の説明図である。
【図２】ＴＤ−ＳＣＤＭＡ規格におけるフレーム構成の説明図である。
【図３】本発明に係る移動通信端末試験装置の第１実施形態におけるブロック構成図である。
【図４】本発明に係る移動通信端末試験装置の第１実施形態における区分情報生成部及びタイミングトリガ生成部の機能説明図である。
【図５】本発明に係る移動通信端末試験装置の第１実施形態におけるメインルーチンのフローチャートである。
【図６】本発明に係る移動通信端末試験装置の第１実施形態における波形データ選別記憶処理のフローチャートである。
【図７】本発明に係る移動通信端末試験装置の第２実施形態におけるブロック構成図である。
【図８】本発明に係る移動通信端末試験装置の第２実施形態において、ＴＤ−ＬＴＥ規格のフレームにおけるＵＬサブフレームの区間の時間的位置の説明図である。
【図９】本発明に係る移動通信端末試験装置の第３実施形態におけるブロック構成図である。
【図１０】本発明に係る移動通信端末試験装置の第３実施形態における選別装置の機能説明図である。
【図１１】本発明に係る移動通信端末試験装置の第３実施形態におけるメインルーチンのフローチャートである。
【図１２】本発明に係る移動通信端末試験装置の第３実施形態におけるトリガ生成処理のフローチャートである。
【図１３】本発明に係る移動通信端末試験装置の第４実施形態におけるブロック構成図である。
【図１４】本発明に係る移動通信端末試験装置の第４実施形態における選別装置の機能説明図である。
【図１５】本発明に係る移動通信端末試験装置の第４実施形態におけるトリガ生成処理のフローチャートである。
【発明を実施するための形態】
【００２８】
本発明の実施の形態について説明する前に、時分割複信方式のＴＤ−ＬＴＥ規格及びＴＤ−ＳＣＤＭＡ規格におけるフレーム構成について説明する。なお、以下の説明において、ダウンリンクを「ＤＬ」、アップリンクを「ＵＬ」と略記する。
【００２９】
図１（ａ）は、ＴＤ−ＬＴＥ規格におけるフレーム構成を示している。図示のように、ＴＤ−ＬＴＥ規格における１個のフレーム（１０ｍｓ）は、２個のハーフフレームで構成される。１個のハーフフレーム（５ｍｓ）は、５個のサブフレームで構成される。１個のサブフレーム（１ｍｓ）は、２個のスロットで構成される。図示の例は、サブフレーム＃１及び＃６の位置に、ＤＬとＵＬとを切り替える切替ポイント（ＳＰ）であるサブフレーム（スペシャルサブフレーム）が含まれている。この場合、スイッチポイント周期は５ｍｓである。スペシャルサブフレームは、伝送ギャップガード周期（ＧＰ）で分離されたＤＬパイロット時間スロット（ＤｗＰＴＳ）及びＵＬパイロット時間スロット（ＵｐＰＴＳ）を含む。
【００３０】
図１（ｂ）は、ＴＤ−ＬＴＥ規格において設定可能な７つのフレーム構成を示している。この７つのフレーム構成は、コンフィギュレーション０〜６で示される。コンフィギュレーション０〜６に対応して、スイッチポイント周期と、サブフレームの構成とが定められている。サブフレーム番号欄に示すように、サブフレームは、ＤＬサブフレーム（Ｄ）、ＵＬサブフレーム（Ｕ）、スペシャルサブフレーム（Ｓ）から構成されている。
【００３１】
図２（ａ）は、ＴＤ−ＳＣＤＭＡ規格におけるフレーム構成を示している。図示のように、ＴＤ−ＳＣＤＭＡ規格における１個のフレーム（１０ｍｓ）は、２個のサブフレームで構成される。１個のサブフレーム（５ｍｓ）は、７個のスロット＃０〜＃６と、２個の切替ポイント（ＳＰ）と、を含む。
【００３２】
ＴＤ−ＳＣＤＭＡ規格では、図中右側の切替ポイントの時間的位置を変更することにより、ＤＬスロット（Ｄ）及びＵＬスロット（Ｕ）の個数を増減することができるようになっている。例えば、図２（ａ）に示した位置から図２（ｂ）に示した位置に切替ポイントの位置を変更することにより、ＤＬスロット（Ｄ）の個数を増加させ、ＵＬスロット（Ｕ）の個数を減少させることができる。
【００３３】
前述のように、ＴＤ−ＬＴＥ規格やＴＤ−ＳＣＤＭＡ規格のような時分割複信方式においては、ＤＬ区間（サブフレーム又はスロット）（Ｄ）及びＵＬ区間（サブフレーム又はスロット）（Ｕ）のフレーム中での構成（以下「サブフレーム構成」という。）が変更可能である。そのため、実際の基地局は、サブフレーム構成を通信状況に応じて動的に変化させることができる。したがって、基地局が通信を開始する前に予めサブフレーム構成を知ることはできない。
【００３４】
しかしながら、擬似基地局として機能する移動通信端末試験装置では、自装置がサブフレーム構成を決めるので、サブフレーム構成を把握した上で被試験端末を試験することができる。
【００３５】
（第１実施形態）
次に、本発明の第１実施形態について図面を用いて説明する。
【００３６】
まず、本実施形態における構成について説明する。なお、以下の説明では、被試験端末がＴＤ−ＬＴＥ規格に対応しているものとし、移動通信端末試験装置が被試験端末に対してＴＤ−ＬＴＥ規格に対する試験を行うものとする。
【００３７】
図３に示すように、本実施形態における移動通信端末試験装置１は、同軸ケーブルを介して被試験端末である移動通信端末６と通信を行って移動通信端末６から受信した信号波形を記憶し、記憶した信号波形を解析するものである。この移動通信端末試験装置１は、自装置から移動通信端末に向かう方向の情報を含むＤＬサブフレームと、移動通信端末から自装置に向かう方向の情報を含むＵＬサブフレームと、を有するフレームにより通信して移動通信端末６を試験するようになっている。
【００３８】
具体的には、移動通信端末試験装置１は、設定部１１、送信波形データ発生部１２、選別部１６、解析部１７、表示制御部１８、表示部１９、擬似基地局５、制御装置２０、記憶装置３０を備えている。
【００３９】
擬似基地局５は、送信部１３、結合器１４、受信部１５を備えている。制御装置２０は、ＵＬ／ＤＬ構成情報記憶部２１、システムタイミング制御部２２、区分情報生成部２３、タイミングトリガ生成部２４を備えている。記憶装置３０は、受信波形データ記憶部３１、区分情報記憶部３２を備えている。
【００４０】
設定部１１は、例えば、キーボード、ダイヤル又はマウスのような入力デバイス、これらを制御する制御回路やソフトウェア等で構成され、移動通信端末試験装置１の各部の動作に必要な設定を試験者に行わせるようになっている。
【００４１】
具体的には、設定部１１は、送信波形データ発生部１２が発生する送信波形データの決定、解析部１７の解析項目及び解析条件、ＵＬ／ＤＬ構成情報を試験者に設定させるものである。ここで、ＵＬ／ＤＬ構成情報は、ＴＤ−ＬＴＥ規格のフレームにおいてＵＬサブフレーム及びＤＬサブフレームの配置された情報を示すものである。ただし、ＵＬ／ＤＬ構成情報は、少なくともＵＬサブフレームの配置された情報を含む情報であればよい。このＵＬ／ＤＬ構成情報は、本発明に係るフレーム構成情報を構成する。以下、フレーム内において、ＵＬサブフレームの配置された区間をＵＬ区間、ＤＬサブフレームの配置された区間をＤＬ区間という。
【００４２】
具体的には、図１（ｂ）を参照すると、例えばコンフィギュレーション１が試験者により選択された場合のＵＬ／ＤＬ構成情報は、サブフレーム＃２、＃３、＃７、＃８がＵＬ区間であるという情報と、サブフレーム＃０、＃４、＃５、＃９がＤＬ区間であるという情報と、を含む。
【００４３】
また、設定部１１は、動作モードの設定や、送信部１３の周波数及びレベルと受信部１５の周波数等の設定を試験者に行わせるものである。ここで、動作モードには、移動通信端末６が擬似基地局５との無線同期を確立した後に送信信号を移動通信端末試験装置１に出力する同期モードと、移動通信端末６が任意の送信タイミングで送信信号を擬似基地局５に出力する非同期モードとがある。本実施形態では、移動通信端末６が同期モードで動作するものとする。
【００４４】
ＵＬ／ＤＬ構成情報記憶部２１は、図１（ｂ）に示したコンフィギュレーション０〜６ごとに各ＵＬ／ＤＬ構成情報を記憶するようになっている。このＵＬ／ＤＬ構成情報記憶部２１は、は本発明に係るフレーム構成情報記憶手段を構成する。
【００４５】
システムタイミング制御部２２は、送信部１３及び受信部１５にタイミング制御信号を出力し、送受信のタイミング制御を行うようになっている。
【００４６】
区分情報生成部２３は、ＵＬ／ＤＬ構成情報記憶部２１が記憶したＵＬ／ＤＬ構成情報に基づいて、ＵＬサブフレームのデータが受信波形データ記憶部３１に記憶される際の受信波形データ記憶部３１内の区分を識別するための情報（以下「区分情報」という。）を、解析部１７の解析処理の前に予め生成して記憶装置３０の区分情報記憶部３２に記憶するようになっている。この区分情報生成部２３は、本発明に係る区分情報生成手段を構成する。
【００４７】
タイミングトリガ生成部２４は、ＵＬ／ＤＬ構成情報記憶部２１が記憶したＵＬ／ＤＬ構成情報に基づいて、ＵＬ区間の開始タイミングを示すＵＬ区間開始トリガ及びＵＬ区間の終了タイミングを示すＵＬ区間終了トリガを生成して選別部１６に出力するようになっている。
【００４８】
ここで、区分情報生成部２３及びタイミングトリガ生成部２４の機能について、図４に基づき説明する。
【００４９】
図４（ａ）は、試験者がコンフィギュレーション１（図１（ｂ）参照）を選択した場合のＵＬ／ＤＬ構成を示している。先頭フレームではサブフレーム＃２、＃３、＃７、＃８にデータＵ１〜Ｕ４が、次フレームのサブフレーム＃２及び＃３にデータＵ５及びＵ６が含まれている。各サブフレームの期間（時間長）は規格で定められており、また、受信部１５のＡＤＣ（アナログデジタルコンバータ）のサンプリングレートは既知である。このため、各サブフレームの波形データのサンプル数が予め分かるので、データＵ１〜Ｕ４、Ｕ５及びＵ６のデータサイズは既知である。データＵ１〜Ｕ４、Ｕ５及びＵ６を受信波形データ記憶部３１が順次取り込むと、これらのデータは図４（ｂ）に示すように受信波形データ記憶部３１に記憶される。
【００５０】
すなわち、データＵ１及びＵ２はメモリアドレス０〜（ａ−１）、データＵ３及びＵ４はメモリアドレスａ〜（ｂ−１）、データＵ５及びＵ６はメモリアドレスｂ〜（ｃ−１）の範囲に区分されて記憶される。互いに隣り合っているデータＵ１及びＵ２、データＵ３及びＵ４、データＵ５及びＵ６の各区分を、それぞれ、区分番号Ｎ＝１、２、３で表すと、各区分の先頭位置及び末尾位置は、図４（ｃ）に示すようなメモリアドレスで示される。この図４（ｃ）に示した内容が区分情報である。なお、末尾位置のアドレスを、次の区分の先頭位置の直前のアドレスと決めることにより、区分情報から末尾位置の情報を省略することが可能である。
【００５１】
区分情報生成部２３は、設定部１１によってコンフィギュレーション０〜６のいずれか１つが設定されると、ＵＬ／ＤＬ構成情報記憶部２１に記憶されたＵＬ／ＤＬ構成のうち、試験者が設定したコンフィギュレーションに対応したＵＬ／ＤＬ構成に基づいて区分情報を生成し、区分情報記憶部３２に記憶するようになっている。
【００５２】
タイミングトリガ生成部２４は、ＵＬ／ＤＬ構成情報記憶部２１に記憶されたＵＬ／ＤＬ構成に基づき、ＵＬ区間開始トリガ及びＵＬ区間終了トリガを次のように生成する。
【００５３】
すなわち、タイミングトリガ生成部２４は、コンフィギュレーション１が選択されている場合は、例えば先頭フレームにおいて、データＵ１及びＵ３の開始タイミングにＵＬ区間開始トリガ（図示では開始トリガ）を選別部１６に出力する。また、同様に、タイミングトリガ生成部２４は、データＵ２及びＵ４の終了タイミングにＵＬ区間終了トリガ（図示では終了トリガ）を生成して選別部１６に出力する。
【００５４】
なお、図１（ａ）において説明したスペシャルサブフレームにおいても通信データが伝送されるが、発明に対する理解を容易にするため、スペシャルサブフレームにおける通信データについての説明は省略する。ただし、ＵＬサブフレーム及びＤＬサブフレームに対する本実施形態での処理をスペシャルサブフレームに応用することは可能である。
【００５５】
図３に戻り、送信波形データ発生部１２は、移動通信端末６に送信する送信信号のベースバンド信号の波形データ（デジタル値のＩＱデータ：実数成分及び虚数成分）を発生し、送信部１３に出力するようになっている。この送信波形データ発生部１２は、予め生成して記憶した複数の波形データから所定の波形データを選択して出力する構成でもよいし、波形データをリアルタイムに生成して出力する構成であってもよい。
【００５６】
送信部１３は、例えば、ＤＡＣ（デジタルアナログコンバータ）、直交変調器、レベル制御器、周波数変換器等を備え、送信波形データ発生部１２が発生した波形データを所定の無線周波数（ＲＦ）信号に変換して結合器１４に出力するようになっている。
【００５７】
結合器１４は、同軸ケーブルを介して移動通信端末６に接続されている。結合器１４は、送信部１３からのＲＦ信号を移動通信端末６に送信するとともに、移動通信端末６から受信したＲＦ信号を受信部１５に出力するようになっている。
【００５８】
受信部１５は、例えば、周波数変換器、復調器、ＡＤＣ（アナログデジタルコンバータ）等を備え、移動通信端末６からのＲＦ信号を受信して受信波形データ（デジタル値のＩＱデータ）として選別部１６に出力するようになっている。
【００５９】
選別部１６は、受信部１５からの受信波形データを受けて、タイミングトリガ生成部２４が生成したトリガに基づき、受信波形データからＵＬ区間のみの受信波形データを選別して記憶装置３０に出力するようになっている。この選別部１６は、本発明に係る選別手段を構成する。例えば、選別部１６の機能は、受信波形データ記憶部３１に対する書込許可信号に相当する。すなわち、受信部１５から順次受ける受信波形サンプルデータについて、ＵＬ区間に含まれるものは、受信波形データ記憶部３１に順次書き込み、ＵＬ区間以外の受信波形サンプルデータは、受信波形データ記憶部３１に書き込まずに破棄する。
【００６０】
記憶装置３０の受信波形データ記憶部３１は、選別部１６からの受信波形データを記憶するようになっている。この受信波形データ記憶部３１には、ＵＬ区間のみの受信波形データが連なって記憶されることとなる。記憶装置３０の区分情報記憶部３２は、区分情報生成部２３が生成した区分情報を記憶するようになっている。この受信波形データ記憶部３１は、本発明に係るデータ記憶手段を構成する。
【００６１】
解析部１７は、制御装置２０から解析項目及び解析条件等の情報を入力し、記憶装置３０の区分情報記憶部３２に記憶された区分情報を参照し、受信波形データの区分を識別して、受信波形データ記憶部３１から受信波形データを読み出し、読み出した受信波形データを解析するようになっている。この構成により、解析部１７は、受信波形データ記憶部３１に連なって記憶されたＵＬ区間の受信波形データを効率よく確実に読み出して解析することができる。解析結果のデータは、表示制御部１８に出力される。解析部１７は、本発明に係るデータ解析手段を構成する。
【００６２】
表示制御部１８は、解析結果のデータを表示部１９の画面に表示させる表示制御を行うようになっている。
【００６３】
表示部１９は、表示制御部１８の表示制御に従って、解析結果のデータを画面に表示するようになっている。
【００６４】
次に、本実施形態における移動通信端末試験装置１の動作について図５及び図６に示すフローチャートを中心に説明する。
【００６５】
設定部１１は、各種試験条件を試験者に入力させ、移動通信端末試験装置１の各部の動作に必要な設定を行う（ステップＳ１１）。具体的には、設定部１１は、ＴＤ−ＬＴＥ規格のフレームにおけるコンフィギュレーション、送信波形データ発生部１２の送信波形データ、解析部１７の解析項目及び解析条件、動作モード、送信部１３の周波数及びレベル、受信部１５の周波数等を設定する。ここで、動作モードは同期モードに設定されるものとする。したがって、制御装置２０は、移動通信端末６が送信信号を送信するタイミングを把握しており、例えば各フレームの先頭位置を検出可能である。
【００６６】
区分情報生成部２３は、ＵＬ／ＤＬ構成情報記憶部２１に記憶されたＵＬ／ＤＬ構成の情報に基づいて区分情報を生成して区分情報記憶部３２に記憶する（ステップＳ１２）。具体的には、図４を用いて説明したように、コンフィギュレーションに対応したＵＬ／ＤＬ構成の情報からＵＬ区間のサブフレームを確認し、ＵＬ区間の期間（時間長）と受信得１５のＡＤＣのサンプリングレートとから受信波形データのサンプル数を求めて、そして、ＵＬ区間のデータを受信波形データ記憶部３１に記憶した場合の、メモリアドレスの各先頭位置、各末尾位置を求めることにより区分情報を生成する。この区分情報は、区分情報記憶部３２に記憶される。
【００６７】
送信波形データ発生部１２は、送信部１３及び結合器１４を介し、発生した波形データを試験信号として移動通信端末６に送信する（ステップＳ１３）。この試験信号を受信した移動通信端末６は、試験信号に応答した応答信号を移動通信端末試験装置１に返す。
【００６８】
受信部１５は、移動通信端末６から、試験信号に応答した応答信号を受信する（ステップＳ１４）。
【００６９】
選別部１６は、受信部１５が受信した応答信号の波形データに対し、波形データ選別記憶処理を行う（ステップＳ２０）。
【００７０】
解析部１７は、区分情報記憶部３２から区分情報を読み出し、読み出した区分情報を用いて受信波形データを順次読み出す（ステップＳ１５）。具体的には、解析部１７は、図４（ｃ）に示した区分情報を用いて、例えば、メモリアドレスの先頭位置０から末尾位置（ａ−１）までの受信波形データを読み出すことによりデータＵ１及びＵ２を得ることができる。
【００７１】
解析部１７は、読み出した受信波形データについて、設定部１１が設定した解析項目及び解析条件に基づいて解析する（ステップＳ１６）。例えば、解析部１７は、読み出した受信波形データについて、送信電力値、ＥＶＭ、隣接チャネル漏洩電力比、エラーレート等を解析する。
【００７２】
表示制御部１８は、解析部１７が解析した解析結果のデータを表示部１９の画面に表示させる表示制御を行って表示部１９に出力する。表示部１９は、表示制御部１８の表示制御に従って、解析結果のデータを画面に表示する（ステップＳ１７）。
【００７３】
次に、ステップＳ２０の波形データ選別記憶処理について図６に示すフローチャートに基づき説明する。この波形データ選別記憶処理は、選別部１６によって実行される処理である。なお、選別部１６は、受信部１５から受信波形データを連続して受けている。
【００７４】
選別部１６は、タイミングトリガ生成部２４からＵＬ区間開始トリガを受信したか否かを判断する（ステップＳ２１）。
【００７５】
ステップＳ２１において、選別部１６は、ＵＬ区間開始トリガを受信したと判断した場合は、受信部１５からの受信波形データを受信波形データ記憶部３１に記憶する（ステップＳ２２）。一方、ステップＳ２１において、選別部１６は、ＵＬ区間開始トリガを受信したと判断しなかった場合は、後述するステップＳ２４の処理を行う。
【００７６】
選別部１６は、タイミングトリガ生成部２４からＵＬ区間終了トリガを受信したか否かを判断する（ステップＳ２３）。
【００７７】
ステップＳ２３において、選別部１６は、ＵＬ区間終了トリガを受信したと判断した場合は、受信波形データを記憶しない（ステップＳ２４）。一方、選別部１６は、ＵＬ区間終了トリガを受信したと判断しなかった場合は、ステップＳ２２に戻る。
【００７８】
選別部１６は、選別処理の終了か否かを判断する（ステップＳ２５）。例えば、選別部１６は、制御装置２０から選別処理の終了を示す信号を受信した場合は、選別処理の終了と判断する。
【００７９】
ステップＳ２５において、選別部１６は、選別処理の終了と判断した場合はメインルーチンに戻り、選別処理の終了と判断しなかった場合はステップＳ２１に戻る。
【００８０】
以上のように、本実施形態における移動通信端末試験装置１は、同期モードにおいて、選別部１６は、タイミングトリガ生成部２４が生成したトリガに基づき、受信波形データからＵＬ区間のみの受信波形データを選別して受信波形データ記憶部３１に出力し、受信波形データ記憶部３１は、フレームに含まれるデータのうち、アップリンクサブフレームのデータのみを記憶するので、ダウンリンクサブフレーム及びアップリンクサブフレームのデータを記憶する従来のものよりも記憶するデータ量を大幅に削減することができる。
【００８１】
したがって、本実施形態における移動通信端末試験装置１は、同期モードにおいて、移動通信端末７からの受信信号の波形を従来よりも長時間に亘って記憶し一括して解析を行うことが可能となるので、移動通信端末７の試験の効率化を図ることができる。
【００８２】
なお、前述の実施形態において、移動通信端末試験装置１が移動通信端末６に対してＴＤ−ＬＴＥ規格に対する試験を行う例を挙げて説明したが、本発明はこれに限定されるものではなく、時分割複信方式に基づいた規格（例えばＴＤ−ＳＣＤＭＡ規格）において適用可能であり、同様な効果が得られる。
【００８３】
（第２実施形態）
図７に示すように、本実施形態における移動通信端末試験装置２は、第１実施形態における移動通信端末試験装置１（図３参照）の一部を変更したものである。したがって、第１実施形態と同様な構成には同一の符号を付してその説明を省略する。
【００８４】
移動通信端末試験装置２は、制御装置４０及び選別部５０を備え、同期モードで動作する移動通信端末６を試験する装置である。制御装置４０は、第１実施形態における制御装置２０からタイミングトリガ生成部２４を取り除いたものである。この制御装置４０は、ＵＬ／ＤＬ構成情報記憶部２１に記憶されたＵＬ／ＤＬ構成情報を選別部５０に出力するようになっている。
【００８５】
選別部５０は、受信部１５からの受信波形データを受けて、ＵＬ／ＤＬ構成情報記憶部２１に記憶されたＵＬ／ＤＬ構成に基づき、受信波形データからＵＬ区間のみの受信波形データを選別して記憶装置３０に出力するようになっている。この選別部５０は、本発明に係る選別手段を構成する。
【００８６】
本実施形態におけるＵＬ／ＤＬ構成情報は、ＴＤ−ＬＴＥ規格のフレームにおけるＵＬ区間及びＤＬ区間の構成を示す情報と、ＵＬ区間の時間的位置の情報と、を含む。各区間の時間的位置の情報は、図８に示すように、例えば、フレームの先頭位置から１個目のＵＬ区間は時間ｔ１〜ｔ２、２個目のＵＬ区間は時間ｔ２〜ｔ３というように示される。なお、各区間の時間的位置の情報が、ＵＬ区間及びＤＬ区間の各時間的位置の情報を含むものであってもよい。
【００８７】
制御装置４０は、同期モードで動作するので移動通信端末６が送信信号を送信するタイミングを把握しており、各フレームの先頭位置を検出可能であるので、各ＵＬ区間の時間的位置を取得できる。
【００８８】
この構成により、選別部５０は、受信波形データからＵＬ区間のみの受信波形データを選別して記憶装置３０に出力することができる。
【００８９】
したがって、本実施形態における移動通信端末試験装置２は、比較的簡単な構成で、受信波形データからＵＬ区間のみの受信波形データを選別することができる。
【００９０】
以上のように、本実施形態における移動通信端末試験装置２は、同期モードにおいて、選別部５０は、ＴＤ−ＬＴＥ規格のフレームにおけるＵＬ区間及びＤＬ区間の構成を示す情報と、各区間の時間的位置の情報と、に基づき、受信波形データからＵＬ区間のみの受信波形データを選別して受信波形データ記憶部３１に出力し、受信波形データ記憶部３１は、フレームに含まれるデータのうち、アップリンクサブフレームのデータのみを記憶するので、ダウンリンクサブフレーム及びアップリンクサブフレームのデータを記憶する従来のものよりも記憶するデータ量を大幅に削減することができる。
【００９１】
したがって、本実施形態における移動通信端末試験装置２は、同期モードにおいて、移動通信端末７からの受信信号の波形を従来よりも長時間に亘って記憶し一括して解析を行うことが可能となるので、移動通信端末７の試験の効率化を図ることができる。
【００９２】
（第３実施形態）
図９に示すように、本実施形態における移動通信端末試験装置３は、第２実施形態における移動通信端末試験装置２（図７参照）の一部を変更したものである。したがって、第２実施形態と同様な構成には同一の符号を付してその説明を省略する。
【００９３】
本実施形態における移動通信端末試験装置３は、被試験端末であって非同期モードで動作する移動通信端末７を試験するものである。
【００９４】
移動通信端末試験装置３は、選別装置６０を備えている。選別装置６０は、同期処理部６１、選別部６２を備えている。
【００９５】
同期処理部６１は、同期バッファ６１ａ、タイミングトリガ生成部６１ｂを備え、移動通信端末試験装置３と移動通信端末７との間の非同期の通信状態からＵＬ区間を検出するようになっている。
【００９６】
同期バッファ６１ａは、受信部１５から受信波形データを受信して記憶するようになっている。
【００９７】
タイミングトリガ生成部６１ｂは、制御装置４０から受信波形データの取り込み開始を示す取込開始信号を受信すると、同期バッファ６１ａが記憶した受信波形データを読み込み、例えばレベルトリガの処理によりＵＬ区間にあるスロットを検出し、検出したスロットを解析してそのスロットに含まれる個別の同期信号によりそのスロットを識別するようになっている。ここで、個別の同期信号は、本発明に係る個別の識別情報を構成する。
【００９８】
また、タイミングトリガ生成部６１ｂは、識別したスロットと、ＵＬ／ＤＬ構成情報記憶部２１に記憶されたＵＬ／ＤＬ構成と、同期バッファ６１ａが取り込んだ受信波形データと、に基づき、ＵＬ区間開始トリガ及びＵＬ区間終了トリガを生成して選別部６２に出力するようになっている。
【００９９】
選別部６２は、同期バッファ６１ａから受信波形データを読み出し、タイミングトリガ生成部６１ｂが生成したトリガに基づき、受信波形データからＵＬ区間のみの受信波形データを選別して記憶装置３０に出力するようになっている。この選別部６２は、本発明に係る選別手段を構成する。
【０１００】
ここで、選別装置６０の機能について図１０に基づいて説明する。なお、フレームの構成としてコンフィギュレーション１（図１（ｂ）参照）が選択されているものとする。
【０１０１】
図１０（ａ）は、同期バッファ６１ａが受信部１５から受信して記憶した受信波形データを示している。図示した矢印の時間的位置で、制御装置４０から取込開始信号が選別装置６０に送信されたものとする。移動通信端末試験装置３は、非同期モードで動作するので、受信波形データにおけるＵＬ区間の時間的位置は不明である。なお、取込開始信号以降に出現する最初のサブフレームをサブフレーム６５で表す。
【０１０２】
タイミングトリガ生成部６１ｂは、取込開始信号を受信した時間的位置から例えばレベルトリガ処理により、ＵＬ区間にあるスロットを検出する。図１０（ｂ）に示すように、サブフレーム６５が、その前半にスロット６５ａ、後半にスロット６５ｂを有しているとすると、タイミングトリガ生成部６１ｂは、最初にスロット６５ａを検出することになる。ＴＤ−ＬＴＥ規格において、各スロットにはそれぞれに固有の同期信号を含めるよう定められている。したがって、タイミングトリガ生成部６１ｂは、スロット６５ａがサブフレーム＃２の前半に含まれるスロットであることを識別でき、さらに、制御装置４０からのＵＬ／ＤＬ構成情報からサブフレーム＃２がＵＬサブフレームであると判断できる。
【０１０３】
さらに、制御装置４０からのＵＬ／ＤＬ構成情報及びサブフレーム＃２の検出結果から、タイミングトリガ生成部６１ｂは、図１０（ｃ）に示すように、サブフレーム＃３、＃７、＃８の時間的な位置も取得でき、ＵＬ区間開始トリガ及びＵＬ区間終了トリガを選別部６２に出力することができる。
【０１０４】
次に、本実施形態における移動通信端末試験装置３の動作について図１１及び図１２に示すフローチャートを中心に説明する。なお、移動通信端末試験装置１の動作（図５参照）と同様なステップには同一の符号を付してその説明を省略する。
【０１０５】
ステップＳ１４において受信部１５が移動通信端末６から試験信号に応答した応答信号を受信した後、同期バッファ６１ａは、受信部１５から受信波形データを受信して記憶する（ステップＳ３１）。
【０１０６】
タイミングトリガ生成部６１ｂは、トリガ生成処理を行う（ステップＳ４０）。すなわち、図１２に示すように、タイミングトリガ生成部６１ｂは、同期バッファ６１ａが記憶した受信波形データを読み込み、例えばレベルトリガの処理によりＵＬ区間にあるスロットを検出する（ステップＳ４１）。
【０１０７】
タイミングトリガ生成部６１ｂは、検出したスロットに含まれる固有の同期信号に基づき、そのスロットを解析してスロットを識別する（ステップＳ４２）。
【０１０８】
タイミングトリガ生成部６１ｂは、識別したスロットの情報及びＵＬ／ＤＬ構成情報に基づき、ＵＬ区間開始トリガ及びＵＬ区間終了トリガを生成し、ＵＬ区間の開始又は終了のタイミングで選別部６２に出力し（ステップＳ４３）、メインルーチンに戻る。
【０１０９】
以上のように、本実施形態における移動通信端末試験装置３は、非同期モードにおいて、選別部６２は、タイミングトリガ生成部６１ｂが生成したトリガに基づき、受信波形データからＵＬ区間のみの受信波形データを選別して受信波形データ記憶部３１に出力し、受信波形データ記憶部３１は、フレームに含まれるデータのうち、アップリンクサブフレームのデータのみを記憶するので、ダウンリンクサブフレーム及びアップリンクサブフレームのデータを記憶する従来のものよりも記憶するデータ量を大幅に削減することができる。
【０１１０】
したがって、本実施形態における移動通信端末試験装置３は、非同期モードにおいて、移動通信端末７からの受信信号の波形を従来よりも長時間に亘って記憶し一括して解析を行うことが可能となるので、移動通信端末７の試験の効率化を図ることができる。
【０１１１】
（第４実施形態）
図１３に示すように、本実施形態における移動通信端末試験装置４は、第３実施形態における移動通信端末試験装置３（図９参照）の一部を変更したものである。したがって、第３実施形態と同様な構成には同一の符号を付してその説明を省略する。
【０１１２】
本実施形態における移動通信端末試験装置４は、被試験端末であって非同期モードで動作する移動通信端末７を試験するものである。
【０１１３】
移動通信端末試験装置４は、制御装置７０、選別装置８０を備えている。制御装置７０は、システムタイミング制御部２２を備えている。この制御装置７０は、第３実施形態における制御装置４０（図９参照）からＵＬ／ＤＬ構成情報記憶部２１及び区分情報生成部２３を除いたものである。選別装置８０は、同期処理部８１、区分情報生成部８２、選別部８３を備えている。
【０１１４】
同期処理部８１は、同期バッファ８１ａ、ＵＬ／ＤＬ構成情報取得部８１ｂ、タイミングトリガ生成部８１ｃを備え、移動通信端末試験装置４と移動通信端末７との間の非同期の通信状態からＵＬ区間を検出するようになっている。
【０１１５】
同期バッファ８１ａは、受信部１５から受信波形データを受信して記憶するようになっている。
【０１１６】
ＵＬ／ＤＬ構成情報取得部８１ｂは、制御装置７０から受信波形データの取り込み開始を示す取込開始信号を受信すると、同期バッファ８１ａが記憶した受信波形データを読み込み、例えばレベルトリガの処理によりＵＬ区間にあるスロットを検出し、検出したスロットを解析してそのスロットに含まれる個別の同期信号によりそのスロットを識別してＵＬ／ＤＬ構成情報を取得するようになっている。このＵＬ／ＤＬ構成情報取得部８１ｂは、本発明に係るフレーム構成情報取得手段を構成する。
【０１１７】
タイミングトリガ生成部８１ｃは、ＵＬ／ＤＬ構成情報取得部８１ｂが取得したＵＬ／ＤＬ構成と、同期バッファ８１ａが取り込んだ受信波形データと、に基づき、ＵＬ区間開始トリガ及びＵＬ区間終了トリガを生成して選別部８３に出力するようになっている。
【０１１８】
区分情報生成部８２は、ＵＬ／ＤＬ構成情報取得部８１ｂが取得したＵＬ／ＤＬ構成情報に基づいて、解析部１７の解析処理の前に予め区分情報を生成するようになっている。また、区分情報生成部８２は、生成した区分情報を記憶装置３０の区分情報記憶部３２に記憶するようになっている。この区分情報生成部８２は、本発明に係る区分情報生成手段を構成する。
【０１１９】
選別部８３は、同期バッファ８１ａから受信波形データを読み出し、タイミングトリガ生成部８１ｃが生成したＵＬ区間開始トリガ及びＵＬ区間終了トリガに基づき、受信波形データからＵＬ区間のみの受信波形データを選別して記憶装置３０に出力するようになっている。この選別部８３は、本発明に係る選別手段を構成する。
【０１２０】
ここで、選別装置８０の機能について図１４に基づいて説明する。図１４（ａ）は、同期バッファ８１ａが受信部１５から受信して記憶した受信波形データを示している。図示した矢印の時間的位置で、制御装置７０から取込開始信号が選別装置８０に送信されたものとする。
【０１２１】
ＵＬ／ＤＬ構成情報取得部８１ｂは、取込開始信号を受信した時間的位置から１フレーム長以上にわたって例えばレベルトリガ処理により、ＵＬ区間にあるスロットを検出し、各スロットに含まれる固有の同期信号に基づいて各スロットを識別する。その結果、ＵＬ／ＤＬ構成情報取得部８１ｂは、例えば、図１０（ｂ）に示すように、１フレーム分のＵＬ／ＤＬ構成情報が取得できる。
【０１２２】
したがって、タイミングトリガ生成部８１ｃは、ＵＬ／ＤＬ構成情報取得部８１ｂが取得したＵＬ／ＤＬ構成情報に基づき、図１０（ｃ）に示すように、ＵＬ区間開始トリガ及びＵＬ区間終了トリガを選別部８３に出力することができる。
【０１２３】
次に、本実施形態における移動通信端末試験装置４の動作について図１５に示すフローチャートを中心に説明する。図１５に示したフローチャートは、第３実施形態における移動通信端末試験装置３のトリガ生成処理（図１２参照）に代わるものである。すなわち、移動通信端末試験装置４の動作は、第３実施形態における移動通信端末試験装置３の動作に対し、図１１に示したフローチャートのステップＳ４０の処理内容が異なっている。
【０１２４】
図１５に示すように、ＵＬ／ＤＬ構成情報取得部８１ｂは、同期バッファ８１ａが記憶した受信波形データを読み込み、レベルトリガの処理によりＵＬ区間にあるスロットを検出する（ステップＳ５１）。
【０１２５】
ＵＬ／ＤＬ構成情報取得部８１ｂは、検出したスロットに含まれる固有の同期信号に基づき、そのスロットを解析してスロットを識別する（ステップＳ５２）。
【０１２６】
ＵＬ／ＤＬ構成情報取得部８１ｂは、少なくとも１フレーム分の各スロットの識別情報から１フレーム分のＵＬ／ＤＬ構成情報を取得する（ステップＳ５３）。
【０１２７】
区分情報生成部８２は、ＵＬ／ＤＬ構成情報取得部８１ｂが取得したＵＬ／ＤＬ構成情報に基づいて区分情報を生成し、記憶装置３０の区分情報記憶部３２に記憶する（ステップＳ５４）。
【０１２８】
タイミングトリガ生成部８１ｃは、ＵＬ／ＤＬ構成情報取得部８１ｂが取得したＵＬ／ＤＬ構成と、同期バッファ８１ａが取り込んだ受信波形データと、に基づき、ＵＬ区間開始トリガ及びＵＬ区間終了トリガを生成し、ＵＬ区間の開始又は終了のタイミングで選別部８３に出力して（ステップＳ５５）、メインルーチンに戻る。
【０１２９】
以上のように、本実施形態における移動通信端末試験装置４は、非同期モードにおいて、選別部８３は、同期バッファ８１ａから受信波形データを読み出し、タイミングトリガ生成部８１ｃが生成したＵＬ区間開始トリガ及びＵＬ区間終了トリガに基づき、受信波形データからＵＬ区間のみの受信波形データを選別して受信波形データ記憶部３１に出力し、受信波形データ記憶部３１は、フレームに含まれるデータのうち、アップリンクサブフレームのデータのみを記憶するので、ダウンリンクサブフレーム及びアップリンクサブフレームのデータを記憶する従来のものよりも記憶するデータ量を大幅に削減することができる。
【０１３０】
したがって、本実施形態における移動通信端末試験装置４は、非同期モードにおいて、移動通信端末７からの受信信号の波形を従来よりも長時間に亘って記憶し一括して解析を行うことが可能となるので、移動通信端末７の試験の効率化を図ることができる。
【産業上の利用可能性】
【０１３１】
以上のように、本発明に係る移動通信端末試験装置及び移動通信端末試験方法は、移動通信端末の試験の効率化を図ることができるという効果を有し、携帯電話やモバイル端末等の移動通信端末を試験する移動通信端末試験装置及び移動通信端末試験方法として有用である。
【符号の説明】
【０１３２】
１〜４  移動通信端末試験装置
５  擬似基地局
６、７  移動通信端末
１１  設定部
１２  送信波形データ発生部
１３  送信部
１４  結合器
１５  受信部
１６、５０、６２、８３  選別部（選別手段）
１７  解析部（データ解析手段）
１８  表示制御部
１９  表示部
２０、４０、７０  制御装置
２１  ＵＬ／ＤＬ構成情報記憶部（フレーム構成情報記憶手段）
２２  システムタイミング制御部
２３、８２  区分情報生成部（区分情報生成手段）
２４、６１ｂ、８１ｃ  タイミングトリガ生成部
３０  記憶装置
３１  受信波形データ記憶部（データ記憶手段）
３２  区分情報記憶部
６０、８０  選別装置
６１、８１  同期処理部
６１ａ、８１ａ  同期バッファ
６５  サブフレーム
６５ａ、６５ｂ  スロット
８１ｂ  ＵＬ／ＤＬ構成情報取得部（フレーム構成情報取得手段）
【図１】
2014123832.tif 000003
【図２】
2014123832.tif 000004
【図３】
2014123832.tif 000005
【図４】
2014123832.tif 000006
【図５】
2014123832.tif 000007
【図６】
2014123832.tif 000008
【図７】
2014123832.tif 000009
【図８】
2014123832.tif 000010
【図９】
2014123832.tif 000011
【図１０】
2014123832.tif 000012
【図１１】
2014123832.tif 000013
【図１２】
2014123832.tif 000014
【図１３】
2014123832.tif 000015
【図１４】
2014123832.tif 000016
【図１５】
2014123832.tif 000017